(57)【要約】  本発明は、手足の指６の爪に取り付けられるチップ２，１２上に装飾体３，１３が設けられて構成された付け爪１，１１，２１であって、チップ２，１２は金属により形成され、装飾体３，１３は宝石４，１４ａ，１４ｂ，１４ｃを備えており、宝石４，１４ａ，１４ｂ，１４ｃは、チップ２，１２と一体化された係止爪部５，１６ａ，１６ｂ，１６ｃによりチップ２，１２に固定されていることを特徴とする。
2008139661.tif 000002
【特許請求の範囲】
【請求項１】
手足の指の爪に取り付けられるチップ上に装飾体が設けられて構成された付け爪であって、
前記チップは金属により形成され、前記装飾体は宝石を備えており、該宝石は、前記チップと一体化された係止爪部により前記チップに固定されていることを特徴とする付け爪。
【請求項２】
前記係止爪部は、前記宝石を型の所定位置にセットした状態で、該型の内部に溶融した貴金属を流し込んだ後、該貴金属を冷却することにより形成されるようになっている請求項１に記載の付け爪。
【請求項３】
前記係止爪部は、前記チップの所定位置に切欠部を形成し、該切欠部に前記宝石を嵌め込んだ後、該切欠部の内周部分に所定の加工を施すことにより形成されるようになっている請求項１に記載の付け爪。
【請求項４】
手足の指の爪に取り付けられるチップ上に装飾体が設けられて構成された付け爪であって、
前記チップは金属により形成され、前記装飾体は、複数の宝石と、該各宝石を一体に固定する台座部とから構成され、前記各宝石は前記台座部と一体化された係止爪部により前記台座部に固定され、該台座部は前記チップに溶接されていることを特徴とする付け爪。
【請求項５】
手足の指の爪上又は該爪に取り付けられるチップ上に取り付けられる装飾体であって、
前記爪上又は前記チップ上に配置される金属製の台座部と、該台座部と一体に形成され、宝石を保持可能な宝石保持部とを備え、前記台座部の外周には固定剤を盛るための固定部が形成されていることを特徴とする装飾体。
【請求項６】
平面視で前記台座部が前記宝石保持部より横方向に突出しないように構成されている請求項５に記載の装飾体。
【請求項７】
前記宝石保持部は脚部を介して前記台座部と一体に形成されている請求項６に記載の装飾体。
【請求項８】
請求項５〜７のいずれか１の請求項に記載の装飾体が合成樹脂製のチップ上に設けられていることを特徴とする付け爪。
【請求項９】
前記固定剤は、スカルプ又はジェルである請求項５〜８のいずれか１の請求項に記載の付け爪。
【発明の詳細な説明】
【技術分野】
【０００１】
本発明は、手足の指の爪上又は該爪に取り付けられるチップ上に取り付けられる装飾体、及び該装飾体がチップ上に設けられた付け爪に関する。
【背景技術】
【０００２】
近年、特に若い女性の間において、手や足の指の爪を装飾する装身具として、付け爪が広く普及している。【０００３】
この種の従来の付け爪は、指の爪の外形に合うように曲成された合成樹脂製で薄板状のチップの外表面に着色塗料によりペインティングしたり、或いは、前記チップ上に装飾材料を接着したりすることにより構成されており、前記チップは、両面接着テープや接着剤等により爪に取り付けられるようになっている。（例えば、特許文献１参照）。
【特許文献１】実用新案登録第３１２４１０５号公報
【発明の開示】
【発明が解決しようとする課題】
【０００４】
しかしながら、上記した従来の付け爪は、合成樹脂製であるため、耐久性に乏しく、一旦爪から剥がすと、変形してしまい、再利用できなくなるおそれがあった。【０００５】
また、チップ上にペインティングや装飾材料を接着することにより装飾を施しているため、ペインティングが変色したり、装飾材料が脱落したりするおそれがあった。【０００６】
さらに、安っぽく見えるため、用途が限定されるといった問題もあった。【０００７】
本発明は、上記した課題を解決すべくなされたものであり、装飾が変色したり、脱落したりすることがなく、耐久性を高め、何度も再利用することができる付け爪を提供することを目的とするものである。
【課題を解決するための手段】
【０００８】
上記した目的を達成するため、本発明は、手足の指の爪に取り付けられるチップ上に装飾体が設けられて構成された付け爪であって、前記チップは金属により形成され、前記装飾体は宝石を備えており、該宝石は、前記チップと一体化された係止爪部により前記チップに固定されていることを特徴とする。【０００９】
本発明に係る付け爪において、前記係止爪部は、前記宝石を型の所定位置にセットした状態で、該型の内部に溶融した貴金属を流し込んだ後、該貴金属を冷却することにより形成されるようになっていてもよい。【００１０】
また、前記係止爪部は、前記チップの所定位置に切欠部を形成し、該切欠部に前記宝石を嵌め込んだ後、該切欠部の内周部分に所定の加工を施すことにより形成されるようになっていてもよい。【００１１】
また、本発明は、手足の指の爪に取り付けられるチップ上に装飾体が設けられて構成された付け爪であって、前記チップは金属により形成され、前記装飾体は、複数の宝石と、該各宝石を一体に固定する台座部とから構成され、前記各宝石は前記台座部と一体化された係止爪部により前記台座部に固定され、該台座部は前記チップに溶接されていることを特徴とする。【００１２】
さらに、本発明は、手足の指の爪上又は該自爪に取り付けられるチップ上に取り付けられる装飾体であって、前記爪上又は前記チップ上に配置される金属製の台座部と、該台座部と一体に形成され、宝石を保持可能な宝石保持部とを備え、前記台座部の外周には固定剤を盛るための固定部が形成されていることを特徴とする。【００１３】
また、前記装飾体は、平面視で前記台座部が前記宝石保持部より横方向に突出しないように構成されていてもよく、さらに、前記宝石保持部は脚部を介して前記台座部と一体に形成されていてもよい。【００１４】
さらにまた、本発明は、前記装飾体が合成樹脂製のチップ上に設けられていることを特徴とする付け爪であってもよく、さらに、前記固定剤は、スカルプ又はジェルであってもよい。【００１５】
本発明によれば、装飾体がチップと一体化された係止爪部によりチップに固定されているため、或いは、貴金属製の台座部に宝石が固定されることにより装飾体が構成されているため、爪から剥がしてもチップが変形したり、装飾体が変色したり、或いは脱落したりすることがない。したがって、耐久性を高めることができ、何度も再利用することができる。
【図面の簡単な説明】
【００１６】
【図１】本発明の第１の実施の形態に係る付け爪を示す平面図である。
【図２】図１のＡ−Ａ断面図である。
【図３】本発明の第２の実施の形態に係る付け爪を示す断面図である。
【図４】本発明の第３の実施の形態に係る付け爪を示す平面図である。
【図５】本発明の第３の実施の形態に係る付け爪の装着体を示す平面図である。
【図６】図５のＡ−Ａ矢視図である。
【図７】本発明の第３の実施の形態に係る付け爪の装飾体の変形例を示す斜視図である。
【図８】本発明の第３の実施の形態に係る付け爪の装飾体の変形例を示す断面図である。
【図９】本発明の第３の実施の形態に係る付け爪の装飾体の別の変形例を示す斜視図である。
【図１０】本発明の第３の実施の形態に係る付け爪の装飾体のさらに別の変形例を示す平面図である。
【図１１】本発明の第３の実施の形態に係る付け爪の装飾体のさらに別の変形例を示す側面図である。
【図１２】本発明の第３の実施の形態に係る付け爪の装飾体のさらに別の変形例を示す平面図である。
【図１３】本発明の第３の実施の形態に係る付け爪の装飾体のさらに別の変形例を示す側面図である。
【図１４】本発明の第３の実施の形態に係る付け爪の装飾体のさらに別の変形例を示す平面図である。
【図１５】本発明の第３の実施の形態に係る付け爪の装飾体のさらに別の変形例を示す側面図である。
【発明を実施するための最良の形態】
【００１７】
以下、図面を参照しつつ、本発明の実施の形態について説明する。【００１８】
先ず、図１及び図２を参照しつつ、本発明の第１の実施の形態に係る付け爪について説明する。ここで、図１は本発明の実施の形態に係る付け爪を示す平面図であり、図２は図１のＡ−Ａ断面図である。【００１９】
本実施の形態に係る付け爪１は、手又は足の指６の爪に取り付けられるチップ２と、チップ２上に固定される装飾体３とから構成されている。【００２０】
チップ２は、貴金属製で薄板状を成し、指６の爪の外形に合うように曲成されており、チップ２の裏面側に取り付けられた両面接着テープや塗布された接着剤等によって、爪に接着されるようになっている。【００２１】
装飾体３は、宝石４を備えており、宝石４は、チップ２と一体化された係止爪部５によりチップ２に固定されるようになっている。【００２２】
このような構成を備えた付け爪１を製造する場合には、宝石４を型（図示省略）の所定位置にセットした状態で、該型の内部に溶融した貴金属を流し込む。その後、該貴金属を冷却し、これにより形成された係止爪部４により宝石４の上部周縁部を係止し、宝石４をチップ２に固定する。【００２３】
なお、本実施の形態に係る付け爪１の製造方法は、上記した製造方法に限定されるものではなく、例えば、チップ２の所定位置に溝や孔等の切欠部を形成し、該切欠部に宝石４を嵌め込んだ後、該切欠部の内周部分に沿ってプレス加工する等、該切欠部の内周部分に所定の加工を施すことにより、係止爪部４を形成し、この係止爪部４により宝石の上部周縁部を係止し、宝石４をチップ２に固定したりすることも可能である。【００２４】
次に、図３を参照しつつ、本発明の第２の実施の形態に係る付け爪について説明する。ここで、図３は本発明の第２の実施の形態に係る付け爪を示す断面図である。【００２５】
本実施の形態に係る付け爪１１は、手又は足の指の爪に取り付けられるチップ１２と、チップ１２上に固定される装飾体１３とから構成されている。【００２６】
チップ１２は、貴金属製で薄板状を成し、指の爪の外形に合うように曲成されており、チップ１２の裏面側に取り付けられた両面接着テープや塗布された接着剤等によって、爪に接着されるようになっている。【００２７】
装飾体１３は、複数（図３では３個）の宝石１４ａ，１４ｂ，１４ｃと、これらの各宝石１４ａ，１４ｂ，１４ｃを一体に固定する台座部１５とから構成されている。台座部１５は貴金属製であり、各宝石１４ａ，１４ｂ，１４ｃは台座部１５と一体化された係止爪部１６により台座部１５に固定されている。【００２８】
このような構成を備えた付け爪１１を製造する場合には、各宝石１４ａ，１４ｂ，１４ｃを型（図示省略）の所定位置にセットした状態で、該型の内部に溶融した貴金属を流し込む。その後、該貴金属を冷却し、これにより形成された係止爪部１６により各宝石４の上部周縁部を係止し、各宝石１４ａ，１４ｂ，１４ｃをチップ台座部１５に固定する。【００２９】
その後、このように各宝石１４ａ，１４ｂ，１４ｃを固定した台座部１５を溶接によりチップ１２上の所定位置に固定する。【００３０】
なお、各宝石１４ａ，１４ｂ，１４ｃを台座部１５に固定する方法は、上記した方法に限定されるものではなく、例えば、チップ１２の所定位置に孔や溝等の切欠部を形成し、該切欠部に各宝石１４ａ，１４ｂ，１４ｃを嵌め込んだ後、該切欠部の内周部分に沿ってプレス加工する等、該切欠部の内周部分に所定の加工を施すことにより、係止爪部１６を形成し、この係止爪部１６により各宝石１４ａ，１４ｂ，１４ｃ上部周縁部をそれぞれ係止し、各宝石１４ａ，１４ｂ，１４ｃを台座部１５に固定したりすることも可能である。【００３１】
このように上記した第１及び第２の実施の形態に係る付け爪１，１１は、チップ２，１２が貴金属製であると共に、装飾体３，１３（宝石４，１４ａ，１４ｂ，１４ｃ）がチップ２，１２と一体化された係止爪部５，１６によりチップ２，１２に固定されているため、爪から剥がしてもチップが変形したり、装飾体が変色したり、或いは脱落したりすることがない。したがって、耐久性を高めることができ、何度も再利用することができる。【００３２】
また、装飾体３，１３が宝石４，１４ａ，１４ｂ，１４ｃにより構成されているため、高級感を演出し、利用範囲の拡大化を図ることができる。【００３３】
さらに、チップ２，１２を貴金属製とすると共に、装飾体３，１３を宝石４，１４ａ，１４ｂ，１４ｃにより構成することにより、デザインのオーダーをすることが可能となり、鑑定機関にて鑑定書または鑑別書の発行ができる程度に、新しく美しい価値あるひとつのアクセサリとして商品化することが可能となる。さらにまた、製品を溶かしてリフォームすることもでき、何度でも違った形態に再生することができ、古い指輪やネックレスを溶かして付け爪１，１１として再生することも可能となる。【００３４】
次に、図４〜６を参照しつつ、本発明の第３の実施の形態に係る付け爪について説明する。ここで、図４は本発明の第３の実施の形態に係る付け爪を示す平面図、図５は同付け爪の装着体を示す平面図、図６は図５のＡ−Ａ矢視図である。【００３５】
本実施の形態に係る付け爪２１は、手又は足の指の爪に取り付けられるチップ２２と、チップ２２上に固定される装飾体２３とから構成されている。【００３６】
チップ２２は、合成樹脂製で薄板状を成し、指の爪の外形に合うように曲成されており、チップ２２の裏面側に取り付けられた両面接着テープや塗布された接着剤等によって、爪に接着されるようになっている。【００３７】
装飾体２３は、矩形薄板状で貴金属製の台座部２４と、該台座部２４と一体化された係止爪部２５により台座部２４上に固定される宝石２８とを備えており、ユニット化されている。台座部２４は、チップ２２の外形に沿って曲成されており、外周には固定剤２６を盛るための固定部２７が鍔状に形成されている。なお、固定剤２６としては、スカルプ又はジェルを使用するのが好ましい。【００３８】
このような構成を備えた付け爪２１を製造する場合には、装飾体２３をチップ２２上の所定位置に配置した状態で、図６において二点鎖線で示すように、固定部２７上及び該固定部２７近傍のチップ２２上に固定剤２６を盛るように塗布し、装飾体２３をチップ２２上に固定する。【００３９】
このように上記した第３の実施の形態に係る付け爪２１は、装飾体２３が貴金属製であると共に台座部２４と一体化された係止爪部２５により宝石２８が装飾体２３に固定されているため、装飾体２３を爪から剥がしても装飾体２３が変色したり、或いは変形したりすることがない。また、装飾体２３はスカルプ又はジェル等の固定剤２６を固定部２７に盛ることによってチップ２２上に固定されているため、取り付け及び取り外し作業が簡素化される。したがって、耐久性を高めることができると共に、何度も再利用を図ることができる。【００４０】
また、装飾体２３が宝石２８により構成されているため、高級感を演出し、利用範囲の拡大化を図ることができる。【００４１】
さらに、装飾体２３を貴金属製とすると共に、装飾体２３を宝石２８により構成することにより、デザインのオーダーをすることが可能となり、鑑定機関にて鑑定書または鑑別書の発行ができる程度に、新しく美しい価値あるひとつのアクセサリとして商品化することが可能となる。さらにまた、製品を溶かしてリフォームすることもでき、何度でも違った形態に再生することができ、古い指輪やネックレスを溶かして付け爪２１として再生することも可能となる。【００４２】
なお、装飾体２３は、上記した第３の実施の形態で説明した形状や構造に限定されるものではなく、例えば、図７及び図８に示すように、チップ２２の外形に沿って僅かに曲成された円形板状の台座部３１と、平面視で該台座部３１が横方向に突出しないように該台座部３１と一体化され、上縁部に形成された係止爪部３２により１個の宝石３３を保持可能なカップ状の宝石保持部３４とにより構成したり、或いは、図９に示すように、チップ２２の外形に沿って僅かに曲成された円形板状の台座部３５と、平面視で該台座部３５が横方向に突出しないように該台座部３５と一体化され、係止爪部３６により放射状に３個の宝石を保持可能なカップ状の宝石保持部３７とにより構成したり、或いは、図１０及び図１１に示すように、チップ２２の外形に沿って僅かに曲成された円形板状の台座部３８と、該台座部３８の中心部に立設された脚部３９を介して平面視で該台座部３８が横方向に突出しないように該台座部３８と一体化され、係止爪部５０により放射状に６個の宝石を保持可能な六角板状の宝石保持部４０とにより構成したり、或いは、図１２及び図１３に示すように、チップ２２の外形に沿って僅かに曲成された３個の円形板状の台座部４１ａ，４１ｂ，４１ｃと、該各台座部４１ａ，４１ｂ，４１ｃの中心部に立設された脚部４２ａ，４２ｂ，４２ｃを介して平面視で該台座部４１ａ，４１ｂ，４１ｃが横方向に突出しないように該台座部４１ａ，４１ｂ，４１ｃと一体化され、上面に９個の半球状の飾り体４３が形成されていると共に大小５個の宝石を保持可能な王冠状平面を有する宝石保持部４４とにより構成したり、或いは、チップ２２の外形に沿って僅かに曲成された４個の円形板状の台座部４５ａ，４５ｂ，４５ｃ，４５ｄと、該各台座部４５ａ，４５ｂ，４５ｃ，４５ｄの中心部に立設された脚部４６ａ，４６ｂ，４６ｃ，４６ｄを介して平面視で該台座部４５ａ，４５ｂ，４５ｃ，４５ｄが横方向に突出しないように該台座部４５ａ，４５ｂ，４５ｃ，４５ｄと一体化され、係止爪部４７により３個の宝石を保持可能な楕円板状の宝石保持部４８とにより構成したりしてもよい。【００４３】
このように装飾体を図７〜図１５に示すように構成することにより、平面視で台座部３１，３５，３８，４１ａ，４１ｂ，４１ｃ，４５ａ，４５ｂ，４５ｃ，４５ｄが宝石保持部３４，３７，４０，４４，４８より横方向に突出せず、台座部３１，３５，３８，４１，４５の平面積を宝石保持部３４，３７，４０，４４，４８より小さくすることができるため、装飾体の貴金属の使用量を最小限に抑え、経済性を高めることができると共に、装飾体を密集して配置させる等、装飾体の配置密度を自由に設定することができ、デザインの自由度を高めることができる。【００４４】
また、上記した第３の実施の形態では、装飾体２３がチップ２２上に固定される場合について説明したが、本発明はこの形態に限定されるものではなく、装飾体２３が固定剤２６により手足の指の爪上に直接固定されるように構成されていてもよい。【００４５】
さらに、チップ２，１２，２２や装飾体１３，２３の材質は、上記した貴金属に限定されるものではなく、チタン等の貴金属以外の金属を使用してもよく、また、装飾体２３の台座部２４は、メッシュ状に形成してこのメッシュ孔に宝石２８を取り付けるように構成する等、各種変更が可能である。【００４６】
さらにまた、宝石４，１４ａ，１４ｂ，１４ｃは、本物の宝石の他、ジルコニア、スワロフスキー等の人工的な素材や、貝殻、動物の角や歯等の天然素材を使用することもできる。
【図１】
2008139661.tif 000003
【図２】
2008139661.tif 000004
【図３】
2008139661.tif 000005
【図４】
2008139661.tif 000006
【図５】
2008139661.tif 000007
【図６】
2008139661.tif 000008
【図７】
2008139661.tif 000009
【図８】
2008139661.tif 000010
【図９】
2008139661.tif 000011
【図１０】
2008139661.tif 000012
【図１１】
2008139661.tif 000013
【図１２】
2008139661.tif 000014
【図１３】
2008139661.tif 000015
【図１４】
2008139661.tif 000016
【図１５】
2008139661.tif 000017
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
手足の指の爪上又は該爪に取り付けられるチップ上に取り付けられる装飾体であって、
前記爪上又は前記チップ上に配置され、該チップの外形に沿って曲成される金属製の台座部と、該台座部と一体に形成され、宝石を保持可能な宝石保持部とを備え、前記台座部の外周には固定剤を盛るための固定部が鍔状に形成されていることを特徴とする装飾体。
【請求項６】
平面視で前記台座部が前記宝石保持部より横方向に突出せず、前記台座部の平面積が前記宝石保持部の平面積より小さくなるように構成されている請求項５に記載の装飾体。
【請求項７】
前記宝石保持部は脚部を介して前記台座部と一体に形成されている請求項６に記載の装飾体。
【請求項８】
請求項５〜７のいずれか１の請求項に記載の装飾体が合成樹脂製のチップ上に設けられていることを特徴とする付け爪。
【請求項９】
前記固定剤は、スカルプ又はジェルである請求項５〜８のいずれか１の請求項に記載の付け爪。
【請求項１０】
前記宝石保持部は、複数の宝石を放射状に保持可能なように形成されている請求項５〜７のいずれか１の請求項に記載の装飾体。
【国際調査報告】
2008139661.tif 000018
2008139661.tif 000019
2008139661.tif 000020
2008139661.tif 000021